(57)【要約】【課題】簡単な構造でコンタクトの保持力を向上するコネクタを提供する。【解決手段】コネクタ１のハウジング２の壁部５１，５２によって、コンタクト挿入孔９が区画される。コンタクト挿入孔９が、コネクタ接続時に相手方コンタクトが挿入される第１開口９１と第１開口の反対側の第２開口９２とを有する。コネクタ１は、第２開口９２からコンタクト挿入孔９に挿入配置されたコンタクト４を含む。ハウジング２の壁部５２に支持されたランスアーム６が、係止突起６１と、係止突起６１とは逆向きの係止助長突起６２とを含む。係止突起６１は、コンタクト４の被係止部２６に係止することにより第２開口９２からのコンタクト４の抜脱を規制する。係止助長突起６２は、コネクタ接続時に相手方ハウジングにより駆動されることにより、ランスアーム６を撓み変位させて被係止部２６に対する係止突起６１の係止を助長する。【選択図】図１
2019220386.tif 000002
【特許請求の範囲】
【請求項１】
相手方ハウジングと相手方コンタクトとを含む相手方コネクタに対してコネクタ接続方向に接続されるコネクタであって、
コネクタ接続時に前記相手方コンタクトが挿入される第１開口と前記第１開口の反対側の第２開口とを有するコンタクト挿入孔を区画する壁部を含むハウジングと、
被係止部を含み、前記第２開口から前記コンタクト挿入孔に挿入配置されたコンタクトと、を備え、
前記ハウジングが、前記壁部に支持されて弾性的に撓み可能なランスアームを含み、
前記ランスアームが、前記コンタクトの前記被係止部に係止することにより前記第２開口からの前記コンタクトの抜脱を規制する係止突起と、前記係止突起とは逆向きの突起であって、コネクタ接続時に前記相手方ハウジングにより駆動されることにより、当該ランスアームを撓み変位させて前記被係止部に対する前記係止突起の係止を助長する係止助長突起と、を含む、コネクタ。
【請求項２】
請求項１に記載のコネクタにおいて、
前記ランスアームの前記係止突起が、前記コンタクトの前記被係止部に係止する係止面を含み、
前記係止助長突起による係止非助長状態における前記被係止部に対する前記係止面の係合面積である第１係合面積よりも、前記係止助長突起による係止助長状態における前記被係止部に対する前記係止面の係合面積である第２係合面積が、広くされている、コネクタ。
【請求項３】
請求項１又は２に記載のコネクタにおいて、
前記コンタクトが、前記コンタクト挿入孔に対する挿入完了位置に達していない不完全挿入状態にあるときに、前記ランスアームの前記係止突起と当接して前記係止突起を前記コンタクト挿入孔から前記コネクタ接続方向と交差する方向に退避させる退避駆動部を含み、
前記ランスアームが、前記係止助長突起に対して前記コネクタ接続方向に隣接して配置された規制部であって、前記退避駆動部によって前記係止突起が前記コンタクト挿入孔から退避させられた状態で、前記相手方ハウジングと当接することにより、前記相手方ハウジングが前記ハウジングに対する嵌合完了位置に変位されることを規制する規制部を含む、コネクタ。
【請求項４】
請求項１〜３の何れか一項に記載のコネクタにおいて、
前記ハウジングの前記壁部が、互いに対向して前記コンタクト挿入孔を区画する第１壁部と第２壁部とを含み、
前記ハウジングが、前記第１壁部に支持された前記ランスアームとしての第１ランスアームと、前記コンタクトの対応する被係止部に係止する係止突起を含み前記第２壁部に支持され弾性的に撓み可能な第２ランスアームと、を含む、コネクタ。
【請求項５】
請求項１〜４の何れか一項に記載のコネクタと、
前記コネクタの前記係止助長部を駆動する係止助長駆動部を含み前記コネクタの前記ハウジングと接続された相手方ハウジングと、前記コネクタの前記コンタクトと接続された相手方コンタクトと、を含む相手方コネクタと、を備えるコネクタ接続構造。
【発明の詳細な説明】
【技術分野】
【０００１】
本発明は、コネクタ及びコネクタ接続構造に関する。
【背景技術】
【０００２】
特許文献１のコネクタでは、組立時において、インシュレータのコンタクト収容部へのコンタクトの挿入に伴って、インシュレータランスのランス係止部が、コンタクトの係止部に係止される。次いで、キー部材が、インシュレータランスとインシュレータの内壁面との間に挿入されることにより、キー部材によって、インシュレータランスの揺動が規制される。これにより、コンタクトの保持力が向上される。
【先行技術文献】
【特許文献】
【０００３】
【特許文献１】特開２００４−２８１２０７号公報
【発明の概要】
【発明が解決しようとする課題】
【０００４】
しかしながら、キー部材を用いるため、部品点数が増大して構造が複雑になる。
本発明の目的は、簡単な構造でコンタクトの保持力を向上することができるコネクタ及びコネクタ接続構造を提供することである。
【課題を解決するための手段】
【０００５】
請求項１に記載の発明は、相手方ハウジング（１１０）と相手方コンタクト（１２０）とを含む相手方コネクタ（１００）に対してコネクタ接続方向（Ｘ１）に接続されるコネクタ（１）であって、コネクタ接続時に前記相手方コンタクトが挿入される第１開口（９１）と前記第１開口の反対側の第２開口（９２）とを有するコンタクト挿入孔（９）を区画する壁部（５１，５２，５３，５３）を含むハウジング（２）と、被係止部（２６）を含み、前記第２開口から前記コンタクト挿入孔に挿入配置されたコンタクト（４）と、を備え、前記ハウジングが、前記壁部に支持されて弾性的に撓み可能なランスアーム（６）を含み、前記ランスアームが、前記コンタクトの前記被係止部に係止することにより前記第２開口からの前記コンタクトの抜脱を規制する係止突起（６１）と、前記係止突起とは逆向きの突起であって、コネクタ接続時に前記相手方ハウジングにより駆動されることにより、当該ランスアームを撓み変位させて前記被係止部に対する前記係止突起の係止を助長する係止助長突起（６２）と、を含む、コネクタを提供する。
【０００６】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、前記ランスアームの前記係止突起が、前記コンタクトの前記被係止部に係止する係止面（６５）を含み、前記係止助長突起による係止非助長状態における前記被係止部に対する前記係止面の係合面積である第１係合面積（Ａ１）よりも、前記係止助長突起による係止助長状態における前記被係止部に対する前記係止面の係合面積である第２係合面積（Ａ２）が、広くされていてもよい。
【０００７】
請求項３に記載の発明のように、前記コンタクトが、前記コンタクト挿入孔に対する挿入完了位置に達していない不完全挿入状態にあるときに、前記ランスアームの前記係止突起と当接して前記係止突起を前記コンタクト挿入孔から前記コネクタ接続方向と交差する方向に退避させる退避駆動部（３６ｃ）を含み、前記ランスアームが、前記係止助長突起に対して前記コネクタ接続方向に隣接して配置された規制部（６３）であって、前記退避駆動部によって前記係止突起が前記コンタクト挿入孔から退避させられた状態で、前記相手方ハウジングと当接することにより、前記相手方ハウジングが前記ハウジングに対する嵌合完了位置に変位されることを規制する規制部を含んでいてもよい。
【０００８】
請求項４に記載の発明のように、前記ハウジングの前記壁部が、互いに対向して前記コンタクト挿入孔を区画する第１壁部（５２）と第２壁部（５１）とを含み、前記ハウジングが、前記第１壁部に支持された前記ランスアームとしての第１ランスアーム（６）と、前記コンタクトの対応する被係止部（２７）に係止する係止突起（７２）を含み前記第２壁部に支持され弾性的に撓み可能な第２ランスアーム（７）と、を含んでいてもよい。
【０００９】
請求項５に記載の発明は、請求項１〜４の何れか一項に記載のコネクタと、前記コネクタの前記係止助長部を駆動する係止助長駆動部（１３２ａ）を含み前記コネクタの前記ハウジングと接続された相手方ハウジングと、前記コネクタの前記コンタクトと接続された相手方コンタクトと、を含む相手方コネクタと、を備えるコネクタ接続構造（Ｊ）を提供する。
【発明の効果】
【００１０】
請求項１記載の発明では、コネクタ接続時に、ランスアームの係止助長突起が相手方ハウジングによって駆動されてランスアームが撓み変位されることにより、コンタクトの被係止部に対する、ランスアームの係止突起の係止が助長される。このため、相手方ハウジングと当接する係止助長突起をランスアームに設ける簡単な構造で、コネクタ接続時においてコンタクトを保持する保持力を向上することができる。
【００１１】
請求項２に記載の発明では、被係止部に対する係止突起の係止が助長されない係止非助長状態から係止が助長される係止助長状態に移行するときに、コンタクトの被係止部に対する、ランスアームの係止突起の係止面の係合面積が増大されるため、コネクタ接続時のコンタクトの保持力をより向上することができる。
請求項３に記載の発明では、コンタクト挿入孔に対してコンタクトが不完全挿入状態にあるときに、相手方コネクタを接続しようとすると、ランスアームの規制部によって、相手方ハウジングが嵌合完了位置に変位されることが規制される。このため、コンタクトが不完全挿入状態にあることを容易に認知することができ、不良品の発生を抑制することができる。
【００１２】
請求項４に記載の発明では、コンタクト挿入孔内でコンタクトが第１壁部及び第２壁部の何れの側にずれても、ずれた側のランスアームの係止突起の係止が助長される。このため、コンタクト挿入孔内でのコンタクトの位置ずれにかかわらず、コネクタ接続時においてコンタクトの保持力を向上することができる。
請求項５記載の発明では、コネクタ接続時に、ランスアームの係止助長突起が相手方ハウジングの係止助長駆動部によって駆動されてランスアームが撓み変位されることにより、コンタクトの被係止部に対する、ランスアームの係止突起の係止が助長される。このため、相手方ハウジングと当接する係止助長突起をランスアームに設ける簡単な構造で、コンタクトを保持する保持力を向上することができる、コネクタ接続構造を実現することができる。
【図面の簡単な説明】
【００１３】
【図１】図１は、本発明の一実施形態の第１コネクタの一部破断斜視図である。
【図２】図２は、第１コネクタと相手方コネクタである第２コネクタとの接続構造の一部破断斜視図である。
【図３】図３（ａ）は、第１コネクタのハウジングである第１ハウジングの正面図であり、図３（ｂ）は、第１ハウジングの底面図である。
【図４】図４（ａ）は、第１ハウジングの平面図であり、図４（ｂ）は、第１ハウジングの左側面図であり、図４（ｃ）は、第１ハウジングの右側面図である。
【図５】図５（ａ）は、第１コネクタのコンタクトである第１コンタクトの圧着前の正面図であり、図５（ｂ）は、圧着前の第１コンタクトの底面図であり、図５（ｃ）は、圧着前の第１コンタクトの右側面図である。図５（ｄ）は、電線の端部に圧着された状態の第１コンタクトの斜め下方からの概略斜視図である。
【図６】図６（ａ）は、第２コネクタの平面図であり、図６（ｂ）は、第２コネクタの断面図であり、図６（ｃ）は、第２コネクタの左側面図である。
【図７】図７は、第１ランスアームの概略斜視図である。
【図８】図８は、組立時における第１コネクタの要部の断面図であり、第１コンタクトがコンタクト挿入孔に対して不完全挿入状態にある場合を示している。
【図９】図９（ａ）及び図９（ｂ）は、第１コネクタの概略断面図である。図９（ａ）は、第１コンタクトの被係止部に対して第１ランスアームの係止突起の係止が助長される前の状態を示している。図９（ｂ）は、コネクタ接続時に前記係止が助長された状態を示している。
【図１０】図１０は、第１コネクタと第２コネクタの接続構造の一部破断斜視図であり、第１コンタクトの不完全挿入状態で第２コネクタの接続が規制された状態を示している。
【発明を実施するための形態】
【００１４】
以下、本発明を具体化した実施形態を図面に従って説明する。
図１は、本発明の一実施形態のコネクタとしての第１コネクタ１の一部破断斜視図である。図２は、第１コネクタ１と相手方コネクタである第２コネクタ１００とが接続されたコネクタ接続構造Ｊの一部破断斜視図である。
図１、図２に示すように、第１コネクタ１は、例えばソケットコネクタである。第２コネクタ１００は、第２コネクタ１００は、例えば基板に固定されるベースコネクタである。以下では、第２コネクタ１００に対する第１コネクタ１のコネクタ接続方向を第１方向Ｘ１と言い、第１方向Ｘ１の反対方向を第２方向Ｘ２と言う。
【００１５】
図１に示すように、第１コネクタ１は、第１ハウジング２と、電線３の端部３ａに接続された第１コンタクト４とを備えている。電線３は、芯線１１と、芯線１１を覆う絶縁性の合成樹脂製の被覆部１２とを含む。電線３の端部３ａでは、先端側から所定長の範囲で、芯線１１が、被覆部１２が露出されている。
第１コネクタ１の第１ハウジング２は、第１ハウジング本体５と、第１ランスアーム６と、第２ランスアーム７と、ロックアーム８とを含む。第１ランスアーム６と第２ランスアーム７とロックアーム８とは、第１ハウジング本体５によって支持されており、弾性的に撓み可能である。
【００１６】
第１ハウジング本体５は、第１コンタクト４が挿入配置されたコンタクト挿入孔９を形成している。コンタクト挿入孔９は、第１方向Ｘ１に開放する第１開口９１と、第２方向Ｘ２に開放する第２開口９２とを有する貫通孔である。第１コンタクト４は、第２開口９２からコンタクト挿入孔９に挿入配置されている。第１ランスアーム６と第２ランスアーム７とは、コンタクト挿入孔９内で第１コンタクト４に係止することにより、第２開口９２からの第１コンタクト４の抜脱を規制している。
【００１７】
次いで、第２コネクタ１００について説明する。図６（ａ）は、第２コネクタ１００の平面図であり、図６（ｂ）は、第２コネクタ１００の断面図であり、図６（ｃ）は、第２コネクタ１００の左側面図である。
図２に示すように、第２コネクタ１００は、第２ハウジング１１０と、第２コンタクト１２０とを備えている。図６（ａ）〜（ｃ）に示すように、第２コネクタ１００のハウジングである第２ハウジング１１０は、第２ハウジング本体１３０と、一対のリブ１４０と、一対のロック突起１５０と、ピン１６０とを含む。
【００１８】
図２に示すように、第１コネクタ１と第２コネクタ１００とが接続されたコネクタ接続構造Ｊでは、第１ハウジング２の第１ハウジング本体５と第２ハウジング１１０の第２ハウジング本体１３０とが嵌合される。また、第１開口９１を通してコンタクト挿入孔９に挿入された第２コンタクト１２０が、第１コンタクト４に接続される。また、図示していないが、第１コネクタ１のロックアーム８が、第２コネクタ１００のロック突起１５０と係合されて、第１コネクタ１と第２コネクタ１００とが互いにロックされる。
【００１９】
図６（ｂ）、（ｃ）に示すように、第２ハウジング本体１３０には、第１コネクタ１の第１ハウジング２の各筒状部５０がそれぞれ挿入嵌合される複数の筒状部嵌合孔１７０が形成されている。図６（ｂ）に示すように、筒状部嵌合孔１７０は、第２方向Ｘ２に向けて開口する開口部１７１を有している。
図６（ａ）〜（ｃ）に示すように、第２ハウジング本体１３０は、天壁部１３１と、底壁部１３２と、一対の外側壁部１３３，１３４と、一対の仕切り側壁部１３５、１３６と、端壁部１３７とを含む。
【００２０】
図６（ｂ）、（ｃ）に示すように、各筒状部嵌合孔１７０は、天壁部１３１と底壁部１３２との間で、外側壁部１３３と仕切り側壁部１３５とによって、また、隣接する一対の仕切り側壁部１３５，１３６によって、また、外側壁部１３４と仕切り側壁部１３６とによって、それぞれ区画されている。
図６（ｂ）を参照して、底壁部１３２の第２方向Ｘ２側の端部１３２ａが、コネクタ接続時に、第１コネクタ１の第１ランスアーム６の後述する係止助長突起６２を係止助長側へ駆動する係止助長駆動部として機能する。
【００２１】
第２コンタクト１２０は、各筒状部嵌合孔１７０に配置される接続端子１２１と、端壁部１３７を第１方向Ｘ１に挿通して第２ハウジング本体１３０外へ突出するリード端子１２２とを含む。リード端子１２２は、例えば図示しない基板を貫通して基板の裏面の導体部に半田付けされる。ピン１６０は、天壁部１３１に沿う位置からリード端子１２２と同側へ突出している。ピン１６０は、前記基板に挿通されて、前記基板と第２ハウジング１１０とを位置決め固定する機能を果たす。
【００２２】
図６（ａ）、（ｃ）に示すように、一対のリブ１４０は、天壁部１３１から突出するように天壁部１３１の一対の側縁に沿って設けられている。一対のロック突起１５０は、一対のリブ１４０の第２方向Ｘ２側の端部１４０ａに内向きに設けられた突起である。一対のロック突起１５０は、第１方向Ｘ１に向く係止部１５１と、上面である案内部１５２と有している。一対のロック突起１５０は、第１コネクタ１のロックアーム８と係止される。これにより、両コネクタ１，１００が互いにロックされる。
【００２３】
次いで、第１コンタクト４について説明する。図５（ａ）、（ｂ）及び（ｃ）は、それぞれ、圧着前の第１コンタクト４の正面図、底面図、及び右側面図である。図５（ｄ）は、電線３の端部３ａに圧着された状態の第１コンタクト４の、斜め下方からの概略斜視図である。
図５（ａ）、（ｂ）及び（ｃ）を参照して、第１コンタクト４は、第１開口９１側に配置される一端４ａと、第２開口９２側に配置される他端４ｂとを含む。第１コンタクト４は、一端４ａ側から、ボックス状の本体部２０と、第１連結部２１と、芯線圧着部２２と、第２連結部２３と、被覆部圧着部２４とを含む。
【００２４】
第１連結部２１は、本体部２０と芯線圧着部２２とを連結する。第２連結部２３は、芯線圧着部２２と被覆部圧着部２４とを連結する。図１及び図５（ｄ）に示すように、芯線圧着部２２は、電線３の端部３ａに露出された芯線１１に圧着される。被覆部圧着部２４は、電線３の端部３ａにおける被覆部１２に圧着される。
本体部２０は、接触部２５と、第１被係止部２６と、第２被係止部２７とを含む。図２に示すコネクタ接続時において、接触部２５は、第２コンタクト１２０と接触する。コンタクト挿入孔９に挿入配置された第１コンタクト４の第１被係止部２６には、第１ランスアーム６が係止され、第２被係止部２７には、第２ランスアーム７が係止される。
【００２５】
図５（ａ）〜（ｃ）に示すように、第１コンタクト４は、導電性金属板のプレス成形品である。本体部２０は、天板部３１と、一対の側板部３２，３３と、一対の分割底板３４，３５で構成される底板部３６と、弾性片部３７とを含む。
底板部３６は、一端４ａ側の一端部３６ａと、他端４ｂ側の他端部３６ｂとを含む。底板部３６の他端部３６ｂによって、コネクタ接続時に第１ランスアーム６に係止される第１被係止部２６が構成されている。底板部３６の外面によって、退避駆動部３６ｃが構成されている。
【００２６】
図５（ａ）に示すように、本体部２０の天板部３１には、例えば矩形の開口部３８が形成されている。開口部３８の一縁部３８ａ（一端４ａ側の縁部）によって、図１に示すように、第２ランスアーム７に係止される第２被係止部２７が構成されている。
図５（ｃ）に示すように、一対の側板部３２，３３は、天板部３１から直交状に延設される。一対の分割底板３４，３５は、対応する側板部３２，３３からそれぞれ延設されて互いに面一に配置されている。弾性片部３７は、天板部３１の先端部３１ａ（一端４ａ側の端部）からボックス内へ折り返し状に延設されて、底板部３６側へ山形状に突出している。
【００２７】
図５（ａ）に示すように、弾性片部３７は、天板部３１に接続された基端部３７ａと、ボックス内において天板部３１の内面によって摺動可能に受けられた先端部３７ｂと、接触部２５を構成する頂部３７ｃと、頂部３７ｃを挟む互いに逆向きの第１傾斜部３７ｄと第２傾斜部３７ｅとを含む。第１傾斜部３７ｄは、基端部３７ａと頂部３７ｃとの間に配置されている。第２傾斜部３７ｅは、頂部３７ｃと先端部３７ｂとの間に配置されている。
【００２８】
図５（ｃ）に示すように、各分割底板３４，３５は、接触部２５側に向けて突出する受け座部３９を含む。図２に示すように、コネクタ接続状態で、接触部２５の接触圧力を受ける第２コンタクト１２０が、接触部２５の反対側の受け座部３９によって受けられる。これにより、第１コンタクト４と第２コンタクト１２０との間に、安定した接触圧力が得られる。
【００２９】
図５（ａ）、（ｂ）に示すように、圧着前の状態で、芯線圧着部２２は、本体部２０の天板部３１から第１連結部２１の天板部２１１を介して連続状に延設された天板部２２１と、天板部２２１の一対の側部から延設された一対のバレル片２２２，２２３とを含むオープンバレル状（逆Ｕ字状）に形成されている。図５（ｄ）に示すように、一対のバレル片２２２，２２３が、電線３の端部３ａに露出する芯線１１を取り囲む状態で互いの端部を突き合わせるようにかしめられて、芯線１１に圧着される。
【００３０】
図５（ａ）、（ｂ）に示すように、圧着前の状態で、被覆部圧着部２４は、芯線圧着部２２の天板部２２１から第２連結部２３の天板部２３１を介して連続状に延設された天板部２４１と、天板部２４１の一対の側部から延設された一対のバレル片２４２，２４３とを含むオープンバレル状（逆Ｕ字状）に形成されている。図５（ｄ）に示すように、一対のバレル片２４２，２４３が、電線３の端部３ａにおける被覆部１２の周囲に巻かれる状態で、互いに部分的にオーバーラップするようにかしめられて、被覆部１２に圧着される。
【００３１】
次いで、第１ハウジング２について説明する。図３（ａ）は、第１ハウジング２の正面図であり、図３（ｂ）は、第１ハウジング２の底面図である。図４（ａ）は、第１ハウジング２の平面図であり、図４（ｂ）は、第１ハウジング２の左側面図であり、図４（ｃ）は、第１ハウジング２の右側面図である。
図３（ａ）及び（ｂ）に示すように、第１ハウジング２の第１ハウジング本体５は、基部４０と、基部４０から第１方向Ｘ１に延設され、第１方向Ｘ１と直交する第１ハウジング２の幅方向Ｗに並ぶ複数（例えば３つ）の筒状部５０とを含む。以下では、第１方向Ｘ１と幅方向Ｗとに対して直交する方向を高さ方向Ｈと言う。
【００３２】
図４（ｂ）に示すように、基部４０は、天壁部４１と、底壁部４２と、一対の外側壁部４３，４４と、一対の仕切り側壁部４５，４６と、端壁部４７とを含む。基部４０における各コンタクト挿入孔９は、天壁部４１と底壁部４２との間で、各外側壁部４３，４４と隣接する仕切り側壁部４５，４６とによって区画され、また、隣接する一対の仕切り側壁部４５，４６によって区画されている。図３（ａ）に示すように、ロックアーム８は、天壁部４１によって片持ち状に支持されている。
【００３３】
図３（ｂ）に示すように、各筒状部５０は、基部４０の端壁部４７から第１方向Ｘ１に延設されている。図１に示すように、各コンタクト挿入孔９は、基部４０の端壁部４７を貫通して各筒状部５０内へ延びている。図４（ｃ）に示すように、各筒状部５０は、天壁部５１と、底壁部５２と、一対の側壁部５３とを含む。各筒状部５０のコンタクト挿入孔９は、天壁部５１と、底壁部５２と、一対の側壁部５３によって区画されている。
【００３４】
図３（ｂ）及び図１に示すように、筒状部５０の底壁部５２は、第１開口９１側の一端部５２ａと、基部４０に隣接する他端部５２ｂと、他端部５２ｂに近接する位置に形成された開口部５４とを含む。コンタクト挿入孔９の内部空間が、開口部５４を介して、筒状部５０の外部に連通されている。
第１ランスアーム６は、開口部５４の第１方向Ｘ１側の縁部である第１縁部５４ａから、第２方向Ｘ２に向けて第１ランスアーム６が、片持ち状に延設されている。
【００３５】
次いで、第１ランスアーム６について説明する。図７は、第１ランスアーム６の概略斜視図である。図７及び図１に示すように、第１ランスアーム６は、基端部６ａと、先端部６ｂと、第１係止突起６１と、係止助長突起６２と、規制部６３とを含む。
基端部６ａは、開口部５４の第１縁部５４ａに連結されている。先端部６ｂは、開口部５４の第２方向Ｘ２側の縁部である第２縁部５４ｂに対して隙間Ｓ１を設けて近接している。第１ランスアーム６は、底壁部５２によって、基端部６ａを支点として弾性的に撓み可能に支持されている。
【００３６】
第１係止突起６１と係止助長突起６２とは、第１ランスアーム６の先端部６ｂに設けられている。第１ランスアーム６の自由状態で、第１係止突起６１は、コンタクト挿入孔９内に配置される。係止助長突起６２は、第１係止突起６１とは逆向きに、すなわち筒状部５０の外側に向けて突出している。規制部６３は、係止助長突起６２に対してコネクタ接続方向である第１方向Ｘ１側（基端部６ａ側）に隣接して配置されている。
【００３７】
第１係止突起６１は、頂部６４と、頂部６４に対して第１方向Ｘ１に隣接する係止面６５と、頂部６４に対して第２方向Ｘ２に隣接する案内面６６とを含む。第１ランスアーム６の自由状態で、係止面６５は、第１ランスアーム６の延びる方向（第１方向Ｘ１）に対して直交している。第１ランスアーム６の自由状態で、案内面６６は、第１ランスアーム６の延びる方向に対して傾斜している。
【００３８】
係止面６５は、コンタクト挿入孔９の挿入完了位置に挿入された第１コンタクト４の第１被係止部２６に係止する。図７に示すように、係止面６５は、幅方向Ｗに延びる矩形状の基部側半部６５Ｂと、基部側半部６５Ｂの幅方向Ｗの中央部から頂部６４側へ突出する先端側半部６５Ｔとを有しており、逆Ｔ字状を形成している。幅方向Ｗに関して、基部側半部６５Ｂの幅である幅ＷＢが、先端側半部６５Ｔの幅である幅ＷＴよりも大きくされている（ＷＢ＞ＷＴ）。
【００３９】
コネクタ接続前の状態で、係止面６５の先端側半部６５Ｔの一部が、コンタクト挿入孔９の挿入完了位置に配置された第１コンタクト４の第１被係止部２６に係止する。このとき、図１に示すように、コネクタ非接続時で係止助長突起６２が第１係止突起６１の係止を助長しない状態で、図７及び第１コネクタ１の概略断面図である図９（ａ）に示すように、係止面６５の先端側半部６５Ｔに配置される第１係合領域６５１が、第１被係止部２６と係止する。
【００４０】
また、図２に示すように、コネクタ接続時に係止助長突起６２が第１係止突起６１の係止を助長する状態で、図７及び第１コネクタ１の概略断面図である図９（ｂ）に示すように、係止面６５の基部側半部６５Ｂに配置される第２係合領域６５２が、第１被係止部２６と係止する。
第１被係止部２６に対する第２係合領域６５２の係合面積である第２係合面積Ａ２が、第１被係止部２６に対する第１係合領域６５１の係合面積である第１係合面積Ａ１よりも広くされている（Ａ２＞Ａ１）。
【００４１】
案内面６６は、組立時において、第２開口９２からコンタクト挿入孔９に第１コンタクト４が挿入されるときに、挿入途中の第１コンタクト４の一端４ａと当接することにより、第１ランスアーム６の第１係止突起６１をコンタクト挿入孔９の外へ退避させるように、第１ランスアーム６自身を弾性的に撓ませる。
図８は、組立時における第１コネクタ１の要部の断面図である。案内面６６による案内によって、図８に示すように、挿入途中の第１コンタクト４の本体部２０の底板部３６が、第１ランスアーム６の第１係止突起６１の頂部６４に乗り上げて、頂部６４と摺接可能な状態となる。
【００４２】
図１に示すように、第１コンタクト４が挿入完了位置に達すると、第１コンタクト４の本体部２０の底板部３６が、第１ランスアーム６の頂部６４を乗り越えることにより、第１ランスアーム６が弾性復帰して、第１ランスアーム６の第１係止突起６１が、コンタクト挿入孔９内に戻り、第１係止突起６１の係止面６５の第１係合領域６５１が、第１コンタクト４の第１被係止部２６に係止される。このため、第２開口９２からの第１コンタクト４の抜脱が規制される。
【００４３】
図７及び図１に示すように、係止助長突起６２は、頂部６７と、頂部６７に対して第１方向Ｘ１に隣接する傾斜状の案内部６８とを含む。第１方向Ｘ１に対して、案内部６８の傾斜は、規制部６３の傾斜よりも大きくされている。
係止助長突起６２は、図２に示すように、コネクタ接続時に第２ハウジング１１０と当接して第２ハウジング１１０により駆動されることにより、第１ランスアーム６を撓み変位させて第１被係止部２６に対する第１係止突起６１の係止を助長する機能を果たす。
【００４４】
具体的には、嵌合途中の第２ハウジング１１０の底壁部１３２が、案内部６８によって案内されて、図２に示すように、第２ハウジング１１０の底壁部１３２が、第１ランスアーム６の係止助長突起６２の頂部６７に乗り上げる。これにより、係止助長突起６２によって第１係止突起６１の係止が助長される。
図８に示すように、第１コンタクト４がコンタクト挿入孔９に対して挿入完了位置に達していない不完全挿入状態にあるときに、第１コンタクト４の底板部３６の外面である退避駆動部３６ｃが、第１ランスアーム６の第１係止突起６１の頂部６４と当接して第１係止突起６１をコンタクト挿入孔９から高さ方向Ｈに退避させるように駆動する。
【００４５】
これにより、係止助長突起６２の第１方向Ｘ１側に隣接する規制部６３が、高さ方向Ｈに突き出されて、一部破断斜視図である図１０に示すように、コネクタ接続時に、第２コネクタ１００の第２ハウジング１１０の底壁部１３２の端部１３２ａと干渉する位置に変位される。
したがって、第１コネクタ１の組立後において、第１コンタクト４が不完全挿入状態にあるときは、第１ハウジング２に対して嵌合途中の第２ハウジング１１０の底壁部１３２の端部１３２ａが、第１ランスアーム６の規制部６３と当接することにより、第２ハウジング１１０が第１ハウジング２に対する嵌合完了位置に変位されることが規制される。
【００４６】
第１ハウジング２に対する第２ハウジング１１０の嵌合完了位置とは、図２に示すように、第２ハウジング１１０の底壁部１３２の端部１３２ａが、第１ハウジング２の基部４０の端壁部４７と当接する位置である。
図１に示すように、筒状部５０の天壁部５１は、基部４０の端壁部４７から延びる厚肉部５５と、厚肉部５５の一端部５５ａ（第１方向Ｘ１側の端部）から第１方向Ｘ１に延びる薄肉部５６とを有している。薄肉部５６は、厚肉部５５よりも薄肉である。
【００４７】
第２ランスアーム７は、厚肉部５５の一端部５５ａから分岐し、薄肉部５６の内面５６ａに対して隙間Ｓ２を設けて対向するように傾斜状に延びている。第２ランスアーム７は、基端部７ａと、先端部７ｂと、係止突起７１とを含む。基端部７ａは、厚肉部５５の一端部５５ａに連結されている。第２ランスアーム７は、天壁部５１によって、基端部７ａを支点として弾性的に撓み可能と支持されている。
【００４８】
係止突起７１は、先端部７ｂに近接して配置され、第１コンタクト４側に向けて突出している。係止突起７１は、頂部７２と、頂部７２に対して第１方向Ｘ１に隣接する係止面７３と、頂部７２に対して第２方向Ｘ２に隣接する案内面７４とを含む。
係止面７３は、コンタクト挿入孔９の挿入完了位置に挿入された第１コンタクト４の第２被係止部２７に係止する。案内面７４は、組立時において、第２開口９２からコンタクト挿入孔９に第１コンタクト４が挿入されるときに、図８に示すように、挿入途中の第１コンタクト４の一端４ａと当接することにより、係止突起７１を第１コンタクト４の天板部３１に乗り上げさせるように、第２ランスアーム７自身を弾性的に撓ませる。
【００４９】
次いで、ロックアーム８について説明する。図３（ａ）及び図４（ａ）に示すように、ロックアーム８は、支持脚部８１と、アーム本体８２と、一対の係止突起８３と、一対のリブ８４とを含む。支持脚部８１は、基部４０の天壁部４１に傾斜状に連結されている。アーム本体８２は、支持脚部８１を介して天壁部４１に弾性的に撓み可能に支持されている。アーム本体８２は、支持脚部８１に連結された基端部８２ａと、先端部８２ｂとを含み、第１方向Ｘ１に対して傾斜状に延びている。
【００５０】
一対の係止突起８３は、アーム本体８２の先端部８２ｂに設けられ外向き側方に突出するフック状の突起である。各係止突起８３は、第２方向Ｘ２に向く係止面８５を有している。また、アーム本体８２は、先端部８２ｂにおいて、筒状部５０側に向く被案内面８６を有している。
コネクタ接続時に、ロックアーム８の被案内面８６が、各ロック突起１５０の上面側の案内部１５２に案内されることにより、ロックアーム８が弾性変形されて、ロックアーム８の各係止突起８３が、案内部１５２上に乗り上げる。
【００５１】
その後、第１コネクタ１の第１ハウジング２に対して、第２コネクタ１００の第２ハウジング１１０が嵌合完了位置に達するに伴って、各係止突起８３が案内部１５２を乗り越えることにより、ロックアーム８が弾性復帰して、各係止突起８３が対応するロック突起１５０に係止される。すなわち、各係止突起８３の係止面８５が、対応するロック突起１５０の係止部１５１に係止される。これにより、両コネクタ１，１００が接続状態にロックされる。
【００５２】
本実施形態によれば、コネクタ接続時に、図２に示すように、第１ランスアーム６の係止助長突起６２が、相手方の第２コネクタ１００の第２ハウジング１１０によって駆動されて、第１ランスアーム６が撓み変位されることにより、第１コネクタ１において、第１コンタクト４の第１被係止部２６に対する、第１ランスアーム６の第１係止突起６１の係止が助長される。このため、第２ハウジング１１０と当接する係止助長突起６２を第１ランスアーム６に設ける簡単な構造で、コネクタ接続時において第１コンタクト４を保持する保持力を向上することができる。
【００５３】
また、第１被係止部２６に対する第１係止突起６１の係止が助長されない係止非助長状態から係止が助長される係止助長状態に移行するときに、図９（ａ）、（ｂ）に示すように、第１コンタクト４の第１被係止部２６に対する、第１ランスアーム６の第１係止突起６１の係止面６５の係合面積が、第１係合面積Ａ１から第２係合面積Ａ２に増大されるため、コネクタ接続時の第１コンタクト４の保持力をより向上することができる。
【００５４】
また、コンタクト挿入孔９に対して第１コンタクト４が不完全挿入状態にあるときに、第２コネクタ１００を接続しようとすると、図１０に示すように、第１ランスアーム６の規制部６３によって、第２コネクタ１００の第２ハウジング１１０が嵌合完了位置に変位されることが規制される。このため、第１コンタクト４が不完全挿入状態にあることを容易に認知することができ、不良品の発生を抑制することができる。
【００５５】
しかも、第２コネクタ１００の第２ハウジング１１０が嵌合完了位置に変位されることが規制された状態では、第２コネクタ１００のロック突起１５０に対する、第１コネクタ１のロックアーム８によるロックが達成されない。具体的には、図示していないが、ロックアーム８が弾性変形され、ロックアーム８の各係止突起８３が、ロック突起１５０の案内部１５２上に乗り上げた状態となる。この点からも、第１コンタクト４が不完全挿入状態にあることを容易に認知することができ、不良品の発生を抑制することができる。
【００５６】
また、図１に示すように、コンタクト挿入孔９を区画する相対向する壁部である底壁部５２（第１壁部）と天壁部５１（第２壁部）とに、それぞれ第１ランスアーム６と第２ランスアーム７とを設けてある。このため、コンタクト挿入孔９内で第１コンタクト４が底壁部５２及び天壁部５１の何れの側にずれても、ずれた側のランスアーム６又は７の係止が助長される。このため、コンタクト挿入孔９内での第１コンタクト４の位置ずれにかかわらず、コネクタ接続時において第１コンタクト４の保持力を向上することができる。
【００５７】
また、コネクタ接続構造Ｊによれば、コネクタ接続時に、第１コネクタ１の第１ランスアーム６の係止助長突起６２が第２コネクタ１００の第２ハウジング１１０によって駆動されて第１ランスアーム６が撓み変位されることにより、第１コンタクト４の第１被係止部２６に対する、第１ランスアーム６の第１係止突起６１の係止が助長される。このため、第２ハウジング１１０と当接する係止助長突起６２を第１ランスアーム６に設ける簡単な構造で、第１コンタクト４を保持する保持力を向上することができる、コネクタ接続構造Ｊを実現することができる。
【００５８】
本発明は、前記実施形態に限定されるものではなく、図示していないが、第２ランスアーム７は、第２壁部（５１）ではなく、何れか一方の側壁部５３に設けられてもよい。また、第２ランスアーム７が設けられなくてもよい。
また、図７に示される第１ランスアーム６の第１係止突起６１の係止面６５において、第１係合領域６５１と第２係合領域６５２との互いの一部が重ねて配置されてもよい。
【００５９】
その他、本発明は、特許請求の範囲記載の範囲内で種々の変更を施すことができる。
【符号の説明】
【００６０】
１  第１コネクタ
２  第１ハウジング
４  第１コンタクト
６  第１ランスアーム
７  第２ランスアーム
９  コンタクト挿入孔
２６  第１被係止部
２７  第２被係止部（対応する被係止部）
３６  底板部
３６ｃ  退避駆動部
５１  天壁部（第２壁部）
５２  底壁部（第１壁部）
６１  第１係止突起
６２  係止助長突起
６３  規制部
６５  係止面
７１  第２係止突起（対応する係止突起）
９１  第１開口
９２  第２開口
１００  第２コネクタ（相手方コネクタ）
１１０  第２ハウジング（相手方ハウジング）
１２０  第２コンタクト（相手方コンタクト）
１３２  底壁部
１３２ａ  端部（係止助長駆動部）
６５１  第１係合領域
６５２  第２係合領域
Ａ１  第１係合面積
Ａ２  第２係合面積
Ｊ  コネクタ接続構造
Ｘ１  第１方向（コネクタ接続方向）
Ｘ２  第２方向
【図１】
2019220386.tif 000003
【図２】
2019220386.tif 000004
【図３】
2019220386.tif 000005
【図４】
2019220386.tif 000006
【図５】
2019220386.tif 000007
【図６】
2019220386.tif 000008
【図７】
2019220386.tif 000009
【図８】
2019220386.tif 000010
【図９】
2019220386.tif 000011
【図１０】
2019220386.tif 000012